【手続補正書】
【提出日】平成20年1月24日(2008.1.24)
【手続補正１】
【補正対象書類名】明細書
【補正対象項目名】特許請求の範囲
【補正方法】変更
【補正の内容】
【特許請求の範囲】
【請求項１】  光源手段と、前記光源手段から出射した光束の状態を他の状態に変換する第１の光学系と、前記第１の光学系により変換された光束を主走査方向に長手の線像として偏向手段の偏向面に結像させる第２の光学系と、前記偏向手段で反射偏向された光束を被走査面上に結像させる第３の光学系と、を具備する走査光学装置において、
前記第３の光学系は、少なくとも１面の回折面と少なくとも１面の屈折面とを有し、
前記被走査面に入射する光束の副走査方向のＦナンバーの画像有効域内における最大値をＦmax、最小値をＦminとしたとき、
Ｆmin／Ｆmax＞０．９
なる条件を満足するように、前記第３の光学系を構成する少なくとも１面の屈折面の副走査方向の曲率半径は軸上から軸外に向かい変化し、かつ、前記第３の光学系を構成する少なくとも１面の回折面の副走査方向の回折パワーは軸上から軸外に向かい変化していることを特徴とする走査光学装置。
【請求項２】 前記第３の光学系を構成する回折面の副走査方向の光軸上のパワーをφＳd、前記第３の光学系を構成する屈折面の副走査方向の光軸上のパワーをφＳrとしたとき、
１．０＜φＳr／φＳd＜２．６
なる条件を満足することを特徴とする請求項１に記載の走査光学装置。
【請求項３】  前記光源手段は、複数の光束を出射することを特徴とする請求項１又は２に記載の走査光学装置。
【請求項４】  請求項１乃至３の何れか１項に記載の走査光学装置と、前記被走査面に配置された感光体と、前記走査光学装置で走査された光束によって前記感光体の上に形成された静電潜像をトナー像として現像する現像器と、現像されたトナー像を被転写材に転写する転写手段と、転写されたトナー像を被転写材に定着させる定着器とを有することを特徴とする画像形成装置。
【請求項５】  請求項１乃至３の何れか１項に記載の走査光学装置と、外部機器から入力したコードデータを画像信号に変換して前記走査光学装置に入力せしめるプリンタコントローラとを有していることを特徴とする画像形成装置。
【手続補正２】
【補正対象書類名】明細書
【補正対象項目名】００１３
【補正方法】変更
【補正の内容】
【００１３】
【課題を解決するための手段】
請求項１の発明の走査光学装置は、光源手段と、前記光源手段から出射した光束の状態を他の状態に変換する第１の光学系と、前記第１の光学系により変換された光束を主走査方向に長手の線像として偏向手段の偏向面に結像させる第２の光学系と、前記偏向手段で反射偏向された光束を被走査面上に結像させる第３の光学系と、を具備する走査光学装置において、
前記第３の光学系は、少なくとも１面の回折面と少なくとも１面の屈折面とを有し、
前記被走査面に入射する光束の副走査方向のＦナンバーの画像有効域内における最大値をＦmax、最小値をＦminとしたとき、
Ｆmin／Ｆmax＞０．９
なる条件を満足するように、前記第３の光学系を構成する少なくとも１面の屈折面の副走査方向の曲率半径は軸上から軸外に向かい変化し、かつ、前記第３の光学系を構成する少なくとも１面の回折面の副走査方向の回折パワーは軸上から軸外に向かい変化していることを特徴としている。
【手続補正３】
【補正対象書類名】明細書
【補正対象項目名】００１４
【補正方法】変更
【補正の内容】
【００１４】
請求項２の発明は請求項１の発明において、前記第３の光学系を構成する回折面の副走査方向の光軸上のパワーをφＳd、前記第３の光学系を構成する屈折面の副走査方向の光軸上のパワーをφＳrとしたとき、
１．０＜φＳr／φＳd＜２．６
なる条件を満足することを特徴としている。
【手続補正４】
【補正対象書類名】明細書
【補正対象項目名】００１５
【補正方法】変更
【補正の内容】
【００１５】
請求項３の発明は請求項１又は２の発明において、前記光源手段は、複数の光束を出射することを特徴としている。
【手続補正５】
【補正対象書類名】明細書
【補正対象項目名】００１６
【補正方法】変更
【補正の内容】
【００１６】
請求項４の発明の画像形成装置は、請求項１乃至３の何れか１項に記載の走査光学装置と、前記被走査面に配置された感光体と、前記走査光学装置で走査された光束によって前記感光体の上に形成された静電潜像をトナー像として現像する現像器と、現像されたトナー像を被転写材に転写する転写手段と、転写されたトナー像を被転写材に定着させる定着器とを有することを特徴としている。
【手続補正６】
【補正対象書類名】明細書
【補正対象項目名】００１７
【補正方法】変更
【補正の内容】
【００１７】
請求項５の発明の画像形成装置は、請求項１乃至３の何れか１項に記載の走査光学装置と、外部機器から入力したコードデータを画像信号に変換して前記走査光学装置に入力せしめるプリンタコントローラとを有していることを特徴としている。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】
【手続補正３６】
【補正対象書類名】明細書
【補正対象項目名】００４７
【補正方法】削除
【補正の内容】
【手続補正３７】
【補正対象書類名】明細書
【補正対象項目名】００４８
【補正方法】削除
【補正の内容】
【手続補正３８】
【補正対象書類名】明細書
【補正対象項目名】００４９
【補正方法】削除
【補正の内容】
【手続補正３９】
【補正対象書類名】明細書
【補正対象項目名】００５０
【補正方法】削除
【補正の内容】
【手続補正４０】
【補正対象書類名】明細書
【補正対象項目名】００５１
【補正方法】削除
【補正の内容】
【手続補正４１】
【補正対象書類名】明細書
【補正対象項目名】００５２
【補正方法】削除
【補正の内容】
【手続補正４２】
【補正対象書類名】明細書
【補正対象項目名】００５３
【補正方法】削除
【補正の内容】
【手続補正４３】
【補正対象書類名】明細書
【補正対象項目名】００５４
【補正方法】削除
【補正の内容】
【手続補正４４】
【補正対象書類名】明細書
【補正対象項目名】００６６
【補正方法】変更
【補正の内容】
【００６６】
本実施形態において半導体レーザー１から出射した発散光束はコリメーターレンズ２により略平行光束に変換され、開口絞り３によって該光束（光量）を制限してシリンドリカルレンズ４に入射している。シリンドリカルレンズ４に入射した略平行光束のうち主走査断面においてはそのままの状態で射出する。また副走査断面内においては収束して光偏向器５の偏向面５ａにほぼ線像（主走査方向に長手の線像）として結像している。そして光偏向器５の偏向面５ａで偏向された光束はトーリックレンズ６１と回折光学素子６２とを介して被走査面に配置された感光ドラム面８上に導光され、該光偏向器５を矢印Ａ方向に回転させることによって、該感光ドラム面８上を矢印Ｂ方向に光走査している。これにより記録媒体である感光ドラム面８上に画像記録を行なっている。
【手続補正４５】
【補正対象書類名】明細書
【補正対象項目名】００７４
【補正方法】変更
【補正の内容】
【００７４】
ここで本実施形態の走査光学素子６の副走査方向の機能に関し説明する。
（ａ）副走査方向の像面湾曲、面倒れの補正
光偏向器の偏向面近傍に結像された線像を被走査面近傍に再結像させ、画像有効域内において副走査方向の像面湾曲を補正すると共に、偏向面の倒れ補正を行う。
（ｂ）画像有効域内で副走査方向の結像倍率の一定化
副走査方向の結像倍率を画像有効域内で略一定とすることにより、被走査面に入射する光束の副走査方向のＦナンバー（Ｆno）を揃え、画像有効域内での副走査方向のスポット径を均一にすると共に後述するマルチビーム走査光学装置においては隣接する走査線の間隔を一定とする。
（ｃ）副走査方向の温度補償
走査光学素子の屈折面と回折面との副走査方向のパワー比を、
１．０＜φＳr／φＳd＜２．６ ‥‥‥（１）
但し、φＳd：走査光学素子の回折面における副走査方向の光軸上のパワー
φＳr：走査光学素子の屈折面における副走査方向の光軸上のパワー
両面とも該当面が複数存在する場合はそのトータルパワー
とすることにより、走査光学装置の環境変動（温度変化）による被走査面上での副走査方向のピント変化を、屈折面と回折面のパワー変化と、半導体レーザーの波長変化で補償する。
【手続補正４６】
【補正対象書類名】明細書
【補正対象項目名】００７７
【補正方法】変更
【補正の内容】
【００７７】
表−１に本実施形態における設計データを示す。
表−１において条件式（１）におけるパワーφＳr、φＳdは各々
φＳr＝０．０２５８
φＳd＝０．０１０２
これより
φＳr／φＳd＝２．５２９
である。
【手続補正４７】
【補正対象書類名】明細書
【補正対象項目名】００８８
【補正方法】変更
【補正の内容】
【００８８】
図６は本実施形態における副走査方向の像面湾曲及び環境特性（昇温による像面位置変化）を示した図である。同図において実線は初期（常温）状態における副走査方向の像面湾曲であり、良好に補正されていることが分かる。また破線は昇温（常温から＋25℃）での副走査方向の像面湾曲であり、本実施形態では屈折面と回折面における副走査方向のパワー比を前記条件式（１）を満足するように、
φＳr／φＳd＝２．５２
と適当な値に設定しているため、ほぼ常温時と同等の値を示していることが読みとれる。
【手続補正４８】
【補正対象書類名】明細書
【補正対象項目名】０１００
【補正方法】変更
【補正の内容】
【０１００】
図８は本実施形態における副走査方向の像面湾曲及び環境特性（昇温による像面位置変化）を示した図である。同図において実線は初期（常温）状態における副走査方向の像面湾曲であり、良好に補正されていることが分かる。また破線は昇温（常温から＋25℃）での副走査方向の像面湾曲であり、本実施形態では屈折面と回折面における副走査方向のパワー比を前記条件式（１）を満足するように、
φＳr／φＳd＝２．５５
と適当な値に設定しているため、ほぼ常温時と同等の値を示していることが読みとれる。
【手続補正４９】
【補正対象書類名】明細書
【補正対象項目名】０１１０
【補正方法】変更
【補正の内容】
【０１１０】
図１１は本実施形態における副走査方向の像面湾曲及び環境特性（昇温による像面位置変化）を示した図である。同図において実線は初期（常温）状態における副走査方向の像面湾曲であり、良好に補正されていることが分かる。また破線は昇温（常温から＋25℃）での副走査方向の像面湾曲であり、本実施形態では屈折面と回折面における副走査方向のパワー比を前記条件式（１）を満足するように、
φＳr／φＳd＝１．４２
と適当な値に設定しているため、ほぼ常温時と同等の値を示していることが読みとれる。